(57)【要約】【課題】ユーザの履いている靴に簡単に装着してユーザの足を保護できると共に、持ち運びに便利な靴用保護具を提供する。【解決手段】靴用保護具Ｗに、爪先保護部１と、踵保持部２と、爪先保護部１と踵保持部２とを連結するストラップ３と、靴に固定するためのベルト部１３、２３とを設ける。爪先保護部１は、靴の靴底の先端部が載置される第１底部１１と、第１底部１１の上面に形成された、靴の爪先部を覆う形状になされた所定強度を有する保護部１０と、第１底部１１と保護部１０とにより形成された中空の収納部１２とを有する。そして、靴に装着される場合、爪先保護部１の収納部１２に靴の爪先部が挿入され、且つ靴の踵が踵保持部２に保持された状態でベルト部１３、２３により靴に固定される。また、ストラップ３を折りたたみ、爪先保護部１の収納部１２に、踵保持部２を挿入して収納できるようになされている。【選択図】図３
2010051501.tif 000002
【特許請求の範囲】
【請求項１】
ユーザが履いている靴に着脱自在に装着され、ユーザの爪先を保護する靴用保護具であって、
前記靴の爪先部に取り付けられる第１部材と、
前記靴の靴底の踵部を支持する第２部材と、
前記第１部材と前記第２部材とを連結する折りたたみ可能なストラップとを備え、
前記第１部材は、前記靴の靴底の先端部が載置される板状部と、該板状部の上面に形成された、該載置された靴の爪先部を覆う形状になされた所定強度を有する保護部と、前記板状部と前記保護部とにより形成された、前記靴の先端部が挿入される中空の収容部と、前記靴に固定するための第１ベルト部とを有し、
前記第２部材は、前記靴に固定するための第２ベルト部を有し、
さらに、前記ストラップを折りたたんで前記第１部材の収容部に、前記第２部材を挿入して収納できるようになされていることを特徴とする靴用保護具。
【請求項２】
前記第１部材の収容部に、前記第２部材を挿入して収納する場合には、
前記第２ベルト部により前記第２部材を結束し、前記ストラップを折りたたんで、前記第１部材の収納部に、前記結束した第２部材を挿入して収納し、さらに、前記第１ベルト部により前記第１部材および第２部材を結束して固定することを特徴とする請求項１に記載の靴用保護具。
【発明の詳細な説明】
【技術分野】
【０００１】
本発明は、ユーザが着用している靴の上に装着することにより足を保護し、安全性を確保する靴用保護具に関する。
【背景技術】
【０００２】
従来から、ユーザが履いている靴の上に装着することにより、安全靴に履き替えることなく、ユーザの足を保護することができる靴用保護具が提案されている。
例えば、特許文献１には、図４に示すように、靴の爪先部分に着脱自在に取り付ける靴用保護具の構成が開示されている。
図示するように、靴用保護具（爪先カバー）１００は、靴の爪先部分を覆う略アーチ状になされ、「ＪＩＳ Ｔ８１０１」に規格された安全靴の先芯と同程度の機械的強度を有している。また、爪先カバー１００は、左右の端部に、それぞれ、靴本体２００の靴紐２０１を通すための複数個の貫通孔１０１が設けられている。
この爪先カバー１００は、靴本体２００の外側の爪先部に当て、靴本体２００の靴紐２０１を貫通孔１０１に通して結ぶことにより、靴本体２００に着脱自在に装着される。
【０００３】
また、例えば、特許文献２には、図５に示すように、靴の上から重ね履きすることができる靴用保護具３００の構成が開示されている。
靴用保護具３００は、靴２１０の靴底を支持する取付部材３０２と、取付部３０２に取り付けられた、足の甲部分を覆う形状の保護部材３０３とを備えている。なお、保護部材３０３は、資材や工具等の物品が落下してきた際の衝撃に耐え得る剛性を有する素材（通常安全靴に用いられる鋼板と少なくとも同等の剛性を有する素材）により形成されている。
【０００４】
【特許文献１】特開２００１−２３８７０３号公報
【特許文献２】特開２００５−１１８４０７号公報
【発明の開示】
【発明が解決しようとする課題】
【０００５】
しかしながら、上述した従来技術の靴用保護具は、以下に示す技術的課題を有している。
具体的には、特許文献１の靴用保護具は、ユーザが履いている靴に装着することにより、安全靴と同等の安全性を確保することができるが、紐靴タイプの靴にしか装着できないという技術的課題を有している。
また、爪先カバーを靴に装着する場合には、一端、ユーザの履いている靴から靴紐を外した上で、再度、靴用保護具に設けられた貫通孔に靴紐を通して結ぶ必要があり、装着する手間が面倒であった。
【０００６】
また、特許文献２の靴用保護具は、保護部材が、足の甲被部分を全体的に覆う形状になされているため、その構造上、靴用保護具が大きくなるという技術的課題を有している。そのため、特許文献２の靴用保護具は、持ち運びや収納が不便であった。例えば、安全靴が必要な現場に、特許文献２の靴用保護具を持って行こうとした場合、荷物がかさばってしまう。また、特許文献２の靴用保護具は、靴用保護具自体の形状が大きいため、収納スペースを大きく占有してしまう。
【０００７】
本発明は、上記事情に鑑みてなされたものであり、安全靴に履き替えることなく、ユーザの履いている靴に簡単に装着してユーザの足を保護できると共に、持ち運びや収納に便利な靴用保護具を提供することを目的とする。
【課題を解決するための手段】
【０００８】
上記課題を解決するためになされた本発明は、ユーザが履いている靴に着脱自在に装着され、ユーザの爪先を保護する靴用保護具に適用される。
そして、前記靴用保護具は、前記靴の爪先部に取り付けられる第１部材と、前記靴の靴底の踵部を支持する第２部材と、前記第１部材と前記第２部材とを連結する折りたたみ可能なストラップとを備え、前記第１部材は、前記靴の靴底の先端部が載置される板状部と、該板状部の上面に形成された、該載置された靴の爪先部を覆う形状になされた所定強度を有する保護部と、前記板状部と前記保護部とにより形成された、前記靴の先端部が挿入される中空の収容部と、前記靴に固定するための第１ベルト部とを有し、前記第２部材は、前記靴に固定するための第２ベルト部を有し、さらに、前記ストラップを折りたたんで前記第１部材の収容部に、前記第２部材を挿入して収納できるようになされていることを特徴とする。
【０００９】
このように、本発明によれば、ユーザは、履いている靴の先端部を第１部材の収納部に挿入し、且つ靴を第２部材の上に載置し、第１ベルト部および第２ベルト部により固定することにより、靴に靴用保護具を装着することができる。
すなわち、本発明によれば、靴の上から重ね履きすることにより、簡単に、履いている靴に、靴用保護具を取り付けることができる。
また、本発明の靴用保護具は、ストラップを折りたたみ、第１部材の収納部に、第２部材を挿入して収納することができるようになされている。すなわち、本発明の靴用保護具は、折りたたんでコンパクトな形状にできるため、持ち運びに便利である。また、靴用保護具をコンパクト化できるため、保管場所の省スペース化を図ることができる。
【００１０】
また、前記第１部材の収容部に、前記第２部材を挿入して収納する場合には、前記第２ベルト部により前記第２部材を結束し、前記ストラップを折りたたんで、前記第１部材の収納部に、前記結束した第２部材を挿入して収納し、さらに、前記第１ベルト部により前記第１部材および第２部材を結束して固定することが望ましい。
このように、本発明によれば、靴に固定するためのベルトにより、折りたたんだ状態の靴用保護具を結束して固定することができる。したがって、例えば、出張などの際に持ち運ぶ場合においても、靴用保護具がばらけることがないため、持ち運びが手軽に行える。
【発明の効果】
【００１１】
本発明によれば、安全靴に履き替えることなく、ユーザの履いている靴に簡単に装着してユーザの足を保護できると共に、持ち運びや収納に便利な靴用保護具を提供することができる。
【発明を実施するための最良の形態】
【００１２】
以下、本発明の実施形態の靴用保護具の構成について図１および図２に基づいて説明する。
図１は、本発明の実施形態の靴用保護具を示した斜視図であり、図１（ａ）は、ユーザが着用した靴に装着された状態の靴用保護具の斜視図を示し、図１（ｂ）は、靴に装着されていない状態の靴用保護具の斜視図を示している。
また、図２は、本発明の実施形態の靴用保護具の断面図であり、図２（ａ）は、図１（ｂ）のＡ−Ａ断面図であり、図２（ｂ）は、図１（ｂ）のＢ−Ｂ断面図であり、図２（ｃ）は、図１（ｂ）のＣ−Ｃ断面図である。
【００１３】
図示するように、靴用保護具Ｗは、靴５０の先端の爪先部を収納する中空の収納部１２（図２参照）が形成された爪先保護部（第１部材）１と、靴５０の踵部を保持する踵保持部（第２部材）２と、爪先保護部１と踵保持部２とを連結するストラップ３とを備えている。
また、爪先保護部１は、断面が略アーチ状に形成され、「ＪＩＳ  Ｔ８１０１」に規格された安全靴の先芯と同程度の機械的強度を有する保護部１０を備えている。また、爪先保護部１には、靴５０の爪先部に巻き付けて固定することにより、爪先保護部１を靴５０の爪先部に固定する略帯状のベルト部１３が取り付けられている。
また、踵保持部２には、靴５０の踵部が載置されている状態において、靴５０を履いたユーザの足首に巻きつけて固定することにより、踵保持部２を靴５０の踵部に固定する略帯状のベルト部２３が取り付けられている。
【００１４】
そして、靴５０を履いたユーザは、靴５０の先端部を爪先保護部１の収納部１２に挿入し、且つ靴５０の踵部を踵保持部２の上に載置し、ベルト部１３を靴５０の甲被部に巻きつけて固定すると共に、靴５０を履いたユーザの足首にベルト部２３を巻きつけて固定することにより、靴５０に靴用保護具Ｗを装着する。これにより、靴５０を履いたユーザの爪先が保護部１０により保護される。
このように、本実施形態によれば、安全靴に履き替えることなく、ユーザの履いている靴５０に簡単に装着することにより、ユーザの足を保護することができる。
【００１５】
さらに、本実施形態の靴用保護具Ｗは、後段で詳細に説明するが、図１に示す状態から、折りたたんでコンパクトな形状に変形できるように形成されている。すなわち、靴用保護具Ｗを折りたたんでコンパクト化できるため、持ち運びが手軽に行える。また、靴用保護具Ｗをコンパクト化できるため、保管する際に、保管スペースを取らない（保管場所の省スペース化を図れる）。
以下、靴用保護具Ｗの各構成について詳細に説明する。
【００１６】
図１および図２に示すように、靴用保護具Ｗの爪先保護部１は、靴底の先端部が載置される略半楕円の板状の第１底部１１と、第１底部１１の上面に形成された、靴５０の爪先部を覆う形状になされた断面が略アーチ状の保護部１０と、第１底部１１と保護部１０とにより形成された中空の収納部１２（図２参照）とを有する。また、第１底部１１の後端の左右両側には、一対の略帯状のベルト部１３が形成されている。また、保護部１０は、上述したように、「ＪＩＳ  Ｔ８１０１」に規格された安全靴の先芯と同程度の強度を有するようになされている。
なお、本実施形態では、保護部１０の具体的な構成について特に限定されるものではないが、例えば、保護部１０は、「ＪＩＳ  Ｔ８１０１」に規格された安全靴の先芯と同程度の強度を有する合成樹脂により作られる。また、例えば、保護部１０は、布や樹脂で作られた断面が略アーチ状の部材と、当該部材に取り付けられた鋼板（或いは合成樹脂）で作られた先芯（「ＪＩＳ  Ｔ８１０１」の規格を満たす先芯）とにより構成されていてもよい。
【００１７】
また、第１底部１１は、一般的な靴底に用いられる合成ゴム等により作られている。
また、ベルト部１３は、靴５０の爪先部に巻き付けて結束することにより、爪先保護部１を靴５０の爪先部に固定できるものであれば、どのようなものでもかまわない。
なお、以下の説明では、ベルト部１３は、アクリル等により形成され、その先端部に、マジックテープ（登録商標）１３ａが取り付けられているものとする（一対のベルト３の一方にオス側のマジックテープ（登録商標）１３ａが取り付けられ、他方にメス側のマジックテープ（登録商標）１３ａが取り付けられているものとする）。そして、靴５０の爪先部に巻き付けたベルト部１３の先端同士をマジックテープ（登録商標）１３ａで固定（接着）することにより、爪先保護部１が靴５０の爪先部分に固定される。
【００１８】
また、靴用保護具Ｗの踵保持部２は、靴底の踵部が載置される略半楕円の板状の第２底部２１と、第２底部２１の上面の左右両側と後側とに形成された腰革部２２とを有する。また、腰革部２２の後端部には、一対の略帯状のベルト部２３が形成されている。
【００１９】
ここで、第２底部２１は、一般的な靴底に用いられる合成ゴム等により作られている。また、腰革部２２は、布や合成樹脂等により作られている。
また、ベルト部２３は、靴５０を履いたユーザの足首に巻き付けて、踵保持部２を靴５０に固定できるものであれば、どのようなものでもかまわない。
なお、以下の説明では、ベルト部２３は、上述したベルト部１３と同様、その先端部に、マジックテープ（登録商標）２３ａが取り付けられているものとする（一対のベルト部２３の一方にオス側のマジックテープ（登録商標）２３ａが取り付けられ、他方にメス側のマジックテープ（登録商標）２３ａが取り付けられているものとする）。そして、ユーザの足首に巻きつけたベルト部２３の先端部をマジックテープ（登録商標）２３ａで固定することにより、踵保持部２が靴５０に固定される。
【００２０】
また、ストラップ３は、伸縮および折り曲げ可能（折りたたみ可能）なゴム等により形成されている。
また、図２（ｂ）、（ｃ）に示すように、爪先保護部１は、その横幅の長さ寸法（ｔ１（ｍｍ））が、踵保持部２の横幅の長さ寸法（ｔ２（ｍｍ））よりも大きくなされている（ｔ１＞ｔ２）。また、爪先保護部１の収納部１２は、踵保持部２を収納できるような大きさに形成されている。
この構成により、靴用保護具Ｗを使わないときには、ストラップ３を折りたたんで、踵保持部２を爪先保護部１の収納部１２の中に押し込んで収納することができる。すなわち、本実施形態によれば、踵保持部２を爪先保護部１の収納部１２の中に収納することにより、靴用保護具Ｗをコンパクトな形状に変形できる。
【００２１】
つぎに、本実施形態の靴用保護具Ｗをコンパクトな形状に変形する場合の手順について、図３に基づいて説明する。
図３は、本発明の実施形態の靴用保護具をコンパクトな形状に変形するための手順を示した模式図である。また、図３（ａ）は、靴５０を装着できる状態（使用状態）の靴用保護具Ｗを示した模式図であり、図３（ｂ）は、踵保持部２を折りたたんだ状態の靴用保護具Ｗを示した模式図であり、図３（ｃ）は、踵保持部２を爪先保護部１の収納部１２の中に挿入した状態の靴用保護具Ｗを示した模式図であり、図３（ｄ）は、折りたたんでコンパクトな形状に固定した状態の靴用保護具Ｗを示した模式図である。
【００２２】
具体的には、先ず、図３（ａ）に示す状態（使用状態）において、一対のベルト部２３をそれぞれ腰革部２２の側面部に巻き付けると共に、踵保持部２の前方側でベルト部２３の先端同士をマジックテープ（登録商標）２３ａで固定（接着）する。
これにより、図３（ａ）に示す状態の靴用保護具Ｗの踵保持部２が、図３（ｂ）に示す状態になる（図３（ａ）に示す踵保持部２に比べて、小さな状態に束ねて固定される）。
【００２３】
つぎに、図３（ｂ）に示す状態（踵保持部２を束ねて固定した状態）において、ストラップ３を折りたたんで、踵保持部２を爪先保護部１の収納部１２の中に押し込む。すなわち、図示する矢印ｙ方向に踵保持部２をスライドさせて、踵保持部２を爪先保護部１の収納部１２の中に挿入する。これにより、図３（ｂ）に示す状態の靴用保護具Ｗが、図３（ｃ）に示す状態になる。
このように、本実施形態によれば、踵保持部２を爪先保護部１の収納部１２の中に挿入して収納し、靴用保護具Ｗを、図３（ａ）に示す状態に比べて、コンパクトな形状に変形することができる。
【００２４】
つぎに、図３（ｃ）に示す状態（踵保持部２を爪先保護部１の収納部１２の中に挿入した状態）において、爪先保護部１の左右両端に形成されたベルト部１３により、収納部２に挿入され踵保持部２を固定する。
具体的には、爪先保護部１の収納部１２に挿入された踵保持部２の外周側に、ベルト部１３を巻きつけると共に、ベルト部１３の先端同士をマジックテープ（登録商標）１３ａで固定（接着）する。
これにより、図３（ｄ）に示すように、靴用保護具Ｗをコンパクトに折りたたんだ状態に固定することができる。
このように、本実施形態の靴用保護具Ｗは、折りたたんでコンパクトな形状に変形することができるため、持ち運びや収納に便利である。
【００２５】
以上、説明したように、本実施形態によれば、ユーザは、履いている靴５０に靴用保護具Ｗを重ね履きして、ベルト部１３、２３で固定することにより、簡単に、靴用保護具Ｗを靴５０に装着ができ、ユーザの爪先を保護することができる。
また、本実施形態の靴用保護具Ｗは、上記のように、靴５０の爪先部を収納部１２に挿入して、ベルト部１３、２３で固定することにより、靴５０に装着されるため、どのようなタイプの靴にも装着することができる（例えば、紐靴ではないタイプの靴にも装着できる）。
そのため、本実施形態の靴用保護具Ｗを用いれば、ユーザは、安全靴に履き替えることなく履きなれた靴により、安全靴が必要な現場で作業を行うことができる。
【００２６】
また、本実施形態では、靴用保護具Ｗを使用しない場合には、上述した図３に示すように、コンパクトな形状に折りたたむことができる。そのため、本実施形態の靴用保護具Ｗは、持ち運びが手軽に行える。また、靴用保護具Ｗをコンパクト化できるため、保管する際に、保管スペースを取らない（保管場所の省スペース化を図れる）。
【００２７】
また、本実施形態では、爪先保護部１の保護部１０は、上述した図５に示す靴用保護具３００のように、靴５０の甲被部を全体的に覆うような形状を採用しておらず、靴５０の爪先部だけを覆う形状に形成されている。
そのため、本実施形態の靴用保護具Ｗは、上述した図５に示す靴用保護具３００に比べて、小型化および軽量化を図ることができる。
【００２８】
また、本実施形態の靴用保護具１の構成によれば、左右の靴５０のいずれにも装着可能であるため、生産コストを抑えることができる。
【００２９】
なお、本発明は、上述した実施形態に限定されるものではなく、その要旨の範囲内において種々の変形が可能である。
例えば、上述した実施形態では、ベルト部１３（又はベルト部２３）の先端部に、マジックテープ（登録商標）１３ａ（２３ａ）が取り付けられている例を示したが、特にこれに限定されるものではない。ベルト部１３（又はベルト部２３）の先端部に、マジックテープ（登録商標）１３ａ（２３ａ）ではなく、バックルが取り付けられ、そのバックルにより靴５０に固定できように形成されいてもよい。
【図面の簡単な説明】
【００３０】
【図１】本発明の実施形態の靴用保護具を示した斜視図である。
【図２】本発明の実施形態の靴用保護具の断面図である。
【図３】本発明の実施形態の靴用保護具を折りたたむ手順の示した模式図である。
【図４】従来技術による靴用保護具の斜視図である。
【図５】従来技術による靴用保護具の斜視図である。
【符号の説明】
【００３１】
Ｗ…靴用保護具
１…爪先保護部
２…踵保持部
３…ストラップ
１０…保護部
１１…第１底部
１３…ベルト部
１３ａ…マジックテープ（登録商標）
２１…第２底部
２２…腰革部
２３…ベルト部
２３ａ…マジックテープ（登録商標）
５０…靴
【図１】
2010051501.tif 000003
【図２】
2010051501.tif 000004
【図３】
2010051501.tif 000005
【図４】
2010051501.tif 000006
【図５】
2010051501.tif 000007